(57)【要約】【課題】電線押さえ部の弾性係合片の基端側から係合解除用治具を差し込んで電線押さえ部を相手側部材から容易に取り外すことができるようにする。【解決手段】本発明における電線カバー１は、コネクタに固定されるコネクタ側固定部１０と、電線Ｗに宛がわれる電線押さえ部２０と、コネクタ側固定部１０と電線押さえ部２０とを連結する連結部３０とを備えている。電線押さえ部２０には係合孔２５を備えた弾性係合片２３が突設され、その係合孔２５をコネクタを取り付けてある相手側部材４０に設けた係合突部４２と係合させることで電線押さえ部２０を相手側部材４０に固定可能とされている。弾性係合片２３の先端には弾性係合片２３の基端側から差し込まれた治具５０を引っ掛けて弾性係合片２３をその係合孔２５と係合突部４２との係合を解除する方向に変位可能とする係合解除用の引掛け孔２６が設けられている。【選択図】図５
2008071600.tif 000002
【特許請求の範囲】
【請求項１】
コネクタから引き出された電線をその引き出し方向とは異なる方向に曲げるための電線カバーであって、
前記コネクタに固定されるコネクタ側固定部と、
前記電線に宛がわれる電線押さえ部と、
前記コネクタ側固定部と前記電線押さえ部とを連結する連結部とを備え、
前記電線押さえ部には係合部を備えた弾性係合片が突設され、その係合部を前記コネクタを取り付けてある相手側部材に設けた被係合部と係合させることで前記電線押さえ部を前記相手側部材に固定可能とされており、
前記弾性係合片の先端には前記弾性係合片の基端側から差し込まれた治具を引っ掛けて前記弾性係合片をその係合部と前記被係合部との係合を解除する方向に変位可能とする係合解除用の引掛け部が設けられている電線カバー。
【請求項２】
前記相手側部材にはそれぞれ前記被係合部を備えた係合壁部が互いに対向状態で一対設けられると共に、前記弾性係合片は前記両係合壁部対に対して外側から嵌め込むように対をなして設けられ、かつ、前記各弾性係合片には前記各係合壁部対の内側に進入して前記弾性係合片との間で前記各係合壁部を挟み込む補助壁が一体に設けられている請求項１記載の電線カバー。
【請求項３】
前記弾性係合片の係合部は係合孔として形成され、前記係合壁部の前記被係合部は係合突部として形成されている請求項２記載の電線カバー。
【発明の詳細な説明】
【技術分野】
【０００１】
本発明は、例えばコネクタに接続されている電線に装着される電線カバーに関する。
【背景技術】
【０００２】
この種の電線カバーとして、例えば下記特許文献１に記載のものが知られている。これは、コネクタから引き出されている電線の曲げ部分に宛がわれる電線押さえ部を備え、その電線押さえ部を弾性係合片によってコネクタハウジングに固定した構造である。
【０００３】
ところで、コネクタは周囲に他の部品が密集して配置されて空間的な余裕が少ない場所に配置されることもある。このような場合、コネクタハウジングは極力小型化されるから、コネクタハウジングに電線カバーのロック構造を設けることができず、電線カバーはコネクタではなく、コネクタが取り付けられている相手側部材に固定される構造を採用せざるを得ない。
【０００４】
例えば、車両用ドアにあって、ドアハンドルの操作を検出するためのスイッチに装着されるコネクタでは、ドアの内部構造が複雑で密集した形態となっているため、上述のように電線カバーをコネクタではなく、そのコネクタが取り付けられるドア内の相手側部材に固定する構造とされる。
【特許文献１】特開２００４−３４８９８８公報
【発明の開示】
【発明が解決しようとする課題】
【０００５】
しかしながら、上述のように電線カバーをコネクタが取り付けられる相手側部材に固定するようにしたとしても、ドア内に十分なスペースがないため、電線カバーの弾性係合片の先端を相手側部材に向けて挿入するための進入路を確保することが精一杯であって、相手側部材に係合した弾性係合片の周囲に余裕スペースを確保することができない。このため、修理・点検等のためにコネクタ、ひいては電線カバーを取り外す必要が生じたときでも、弾性係合片の係合を解除するためのマイナスドライバ等の治具は、やはり弾性係合片の基端側から奥に向かって真っ直ぐに挿入するしかなく、弾性係合片の係合解除操作が非常に行いにくく、作業性が極めて悪いという問題があった。
【０００６】
本発明は上記のような事情に基づいて完成されたものであって、電線押さえ部の弾性係合片の基端側から係合解除用治具を差し込んで電線押さえ部を相手側部材から容易に取り外すことができるようにすることを目的とする。
【課題を解決するための手段】
【０００７】
上記の目的を達成するための手段として、請求項１の発明は、コネクタから引き出された電線をその引き出し方向とは異なる方向に曲げるための電線カバーであって、前記コネクタに固定されるコネクタ側固定部と、前記電線に宛がわれる電線押さえ部と、前記コネクタ側固定部と前記電線押さえ部とを連結する連結部とを備え、前記電線押さえ部には係合部を備えた弾性係合片が突設され、その係合部を前記コネクタを取り付けてある相手側部材に設けた被係合部と係合させることで前記電線押さえ部を前記相手側部材に固定可能とされており、前記弾性係合片の先端には前記弾性係合片の基端側から差し込まれた治具を引っ掛けて前記弾性係合片をその係合部と前記被係合部との係合を解除する方向に変位可能とする係合解除用の引掛け部が設けられている構成としたところに特徴を有する。
【０００８】
請求項２の発明は、請求項１に記載のものにおいて、前記相手側部材にはそれぞれ前記被係合部を備えた係合壁部が互いに対向状態で一対設けられると共に、前記弾性係合片は前記両係合壁部対に対して外側から嵌め込むように対をなして設けられ、かつ、前記各弾性係合片には前記各係合壁部対の内側に進入して前記弾性係合片との間で前記各係合壁部を挟み込む補助壁が一体に設けられているところに特徴を有する。
【０００９】
請求項３の発明は、請求項２に記載のものにおいて、前記弾性係合片の係合部は係合孔として形成され、前記係合壁部の前記被係合部は係合突部として形成されているところに特徴を有する。
【発明の効果】
【００１０】
＜請求項１の発明＞
請求項１の発明によると、治具を弾性係合片の基端側から挿入し、治具の先端を引掛け部に引っ掛けることができる。これにより、弾性係合片をその係合部と被係合部との係合を解除する方向に変位させて係合を解除することができる。したがって、弾性係合片の基端側から治具を挿入して、弾性係合片を相手側部材から取り外すことができる。
【００１１】
＜請求項２の発明＞
請求項２の発明によると、係合壁部を弾性係合片と補助壁との間で挟み込むことができる。したがって、係合部と被係合部との係合状態を保持することができる。仮に、弾性係合片が外側に撓み変形しようとしても、弾性係合片が補助壁と別体に設けられている場合よりも弾性係合片が撓みにくくなるため、係合部と被係合部との係合が容易に解除されるおそれがない。
【００１２】
＜請求項３の発明＞
仮に、係合部を係合突部とし、被係合部を係合孔として形成した場合、係合突部と係合孔との係合力は、係合孔の深さ寸法、すなわち係合壁部の厚さによって決定される。ここで、係合力をさらに高めるためには、弾性係合片を薄くして、その分だけ係合壁部を厚くする必要がある。しかしながら、弾性係合片の厚さを薄くすると弾性力の低下を招き、弾性係合片に補助壁を一体に設けたことの意義が失われてしまう。その点、請求項３の発明によると、弾性係合片を係合壁部と反対側に肉盛りすることで係合孔の深さ寸法を稼ぐことができる。したがって、弾性係合片の弾性力を低下させることなく係合力を高めることができる。
【発明を実施するための最良の形態】
【００１３】
＜実施形態＞
本発明の実施形態を図１ないし図６によって説明する。本発明における電線カバー１は、相手側部材４０に取り付けられているコネクタ（図示しない）の電線引き出し面から引き出された電線Ｗ（実際には複数の電線Ｗを束ねて構成された電線群であるものの、以下の説明においては、単に電線Ｗという。）をその引き出し方向とは異なる方向に曲げて、所定方向に導出するためのものである。図１は、電線カバー１を底面側から見た図であって、電線カバー１の底面側には図示しない電線Ｗが配されている。
【００１４】
電線カバー１は、図１に示すように、コネクタに固定されるコネクタ側固定部１０と、相手側部材４０に固定される電線押さえ部２０と、コネクタ側固定部１０と電線押さえ部２０とを連結する連結部３０とを備えている。一方、相手側部材４０は、図６に示すように、対向状態で設けられた一対の係合壁部４１と、両係合壁部４１の端部において両係合突部４１が対向する対向面と反対側の面から突出する一対の係合突部（本発明における被係合部に相当する。）４２とを備えている。尚、以下の説明において、上下方向とは図１における紙面と直交する方向を基準として奥側を上方とし、前後方向とは図１における左右方向を基準として図示右側を前方とし、幅方向とは図１における上下方向を基準とする。
【００１５】
コネクタ側固定部１０は、幅方向に対向状態で配される一対の側板１１を有し、これらの上端同士を上端壁１２で連結した構成である。各側板１１の外側面には、後方に突出する固定板１３が一体に形成されており、固定板１３には、その下端縁から上方に向けて切り込まれた固定溝１４が設けられている。固定溝１４は、コネクタに設けられたロック突部（図示しない）と係合することで、コネクタ側固定部１０をコネクタに固定することが可能である。
【００１６】
連結部３０は、図２に示すように、上端壁１２の前端縁から前方に延びる形態で可撓性を有する撓み部３１と、撓み部３１の前端縁部に連結された電線拘束部３２とから構成されている。撓み部３１の幅寸法は、ハウジング側固定部１０の両側板１１間の距離よりやや小さめに設定されている。撓み部３１は、相手側部材４０側に曲げられると両側板１１の間に配されると共に、両側板１１の内側面と撓み部３１の内面とからなる曲げ収容部が形成されるようになっている。
【００１７】
電線拘束部３２は柱状をなし、撓み不能に形成されている。この電線拘束部３２は、結束バンド（図示しない）によって電線Ｗと共に巻きつけられる。そのため、電線押さえ部２０が撓み部３１を撓ませて相手側部材４０（図１における紙面手前側）に向けて曲げられると、電線Ｗの曲げ部分が、前記した曲げ収容部の内部に収容される。
【００１８】
電線押さえ部２０は、その後端縁部が電線拘束部３２に連結された略長方形状をなす基板部２１と、その両側縁から前後両側に分かれて下方に突設された４つの側壁とを備えている。これらの側壁のうち、前側の両側壁は一対の案内突部２２とされ、後側の両側壁は一対の弾性係合片２３とされている。  
両案内突部２２は、基板部２１の前端側両側縁から対向状態で下方に突出している。案内突部２２の突出高さは、電線Ｗの径寸法とほぼ同じかやや大きめとなるように設定されている。基板部２１の下面は、電線Ｗが曲げられた状態にあるときには、電線Ｗの弾発力により電線Ｗに宛がわれることになるため、両案内突部２２の間に電線Ｗを配置することで、電線Ｗを確実に基板部２１の前端から前方に導出させることができるようになっている。
【００１９】
両弾性係合片２３は、基板部２１の後端側両側縁から対向状態で下方に延出された撓み規制部２３Ａと、撓み規制部２３Ａの下端部外側面から対向状態で下方に向けて片持ち状に突出した撓み許容部２３Ｂとから構成されている。撓み許容部２３Ｂは、対をなして係合突部４２を挟むように突出する一対の支持腕２３Ｂ１と、両支持腕２３Ｂ１の先端間を一体に連結して架設された架設部２３Ｂ２とからなり、全体としてコ字型をなしている。架設部２３Ｂ２の上面は、撓み規制部２３Ａの下面より下方に突出した位置に設定されており、両支持腕２３Ｂ１の両内側面と架設部２３Ｂ２の上面と撓み規制部２３Ａの下面とから構成される係合孔（本発明における係合部に相当する。）２５が形成されている。係合孔２５は、係合突部４２と係合させることで、電線押さえ部２０を相手側部材４０に固定することが可能である。
【００２０】
電線押さえ部２０が相手側部材４０に固定されると、基板部２１の下面が曲げ状態にある電線Ｗから上方に向かう弾発力を受けて係合突部４２の下面と架設部２３Ｂ２の上面とが当たり合った状態となる。この状態では、側板２２の下面と係合壁部４１の上面との間に間隔Ｓが生じるように設計されている。この間隔Ｓを設けた理由は、架設部２３Ｂ２の上面がその基端側を中心として揺動軌跡を描きながら変位し、架設部２３Ｂ２が係合突部４２を乗り越える際にその変位前より上方位置を通過するためである。したがって、間隔Ｓは、側板２２の下面と係合壁部４１の上面とを接触させた状態において、架設部２３Ｂ２が係止突部４２を乗り越えることができるような長さに設定されている。
【００２１】
両弾性係合片２３の内側には、基板部２１から対向状態で下方に突出する一対の補助壁２４が形成されている。補助壁２４は、弾性係合片２３と対向状態で配される対向壁２４Ａと、対向壁２４Ａの前後両側縁から幅方向外側に延出して対向壁２４Ａの撓み変形を規制する規制壁２４Ｂとからなり、全体として断面コ字型の柱状をなしている。補助壁２４の下端は、撓み許容部２３Ｂの下端とほぼ揃う高さ位置に設定されている。また、規制壁２４Ｂの幅方向外側縁は撓み規制部２３Ａと一体に連結されている。これにより、撓み規制部２３Ａが撓み変形することを規制し、撓み許容部２３Ｂのみを幅方向に撓ませることが可能である。さらに、撓み許容部２３Ｂの弾性力は、撓み規制部２３Ａが補助壁２４と別体に形成されている場合よりも大きくなり、係合孔２５と係合突部４２との係合力を高めることができる。尚、撓み許容部２３Ｂの内面と規制壁２４Ｂの側端との間の距離は、係合壁部４１の厚さ寸法とほぼ同じかこれよりやや大きめに設定されている。
【００２２】
撓み許容部２３Ｂの架設部２３Ｂ２の外側面には、幅方向外側に張り出した張り出し部２７が形成され、この張り出し部２７には、上下方向（撓み許容部２３Ｂの突出方向）に貫通する引掛け孔（本発明における引掛け部に相当する。）２６が形成されている。引掛け孔２６は、弾性係合片２３の基端側から臨んだ位置に配されており、基端部２１側からマイナスドライバ（本発明における治具に相当する。）５０の先端が挿入可能な大きさに設定されている。したがって、弾性係合片２３の基端側からマイナスドライバ５０を差し込んで引掛け孔２６に引っ掛けて、撓み許容部２３Ｂを幅方向外側（係合孔２５と係合突部４２との係合を解除する方向）に変位させることができる。尚、引掛け孔２６を弾性係合片２３の基端側から臨んだ位置に配した理由は、仮に引掛け孔２６が弾性係合片２３の基端側から見えない位置に配されている場合には、マイナスドライバ５０を弾性係合片２３の基端側から挿入したとしても、マイナスドライバ５０の先端を引掛け孔２６に差し込むことが困難になるためである。
【００２３】
本実施形態は以上のような構造であって続いてその作用を説明する。  
まず、電線押さえ部２０の相手側部材４０への取り付けについて説明する。電線押さえ部２０を係合突部４２に向けて押し込むと、撓み部３１が撓むと共に電線Ｗが曲げられ、電線Ｗの弾発力によって基板部２１の下面に電線Ｗが宛がわれる。電線Ｗを両案内突部２２の間に配して、さらに電線押さえ部２０を押し込むと、係合壁部４１が撓み許容部２３Ｂと補助壁２４との間に進入し、撓み許容部２３Ｂの先端が係合突部４２に乗り上げて撓み許容部２３Ｂを幅方向外側へ撓ませつつ、撓み許容部２３Ｂの先端が係合突部４２を乗り越えると撓み許容部２３Ｂが復帰し、係合孔２５と係合突部４２とが係合する。こうして、電線押さえ部２０が相手側部材４０に固定される。
【００２４】
次に、電線押さえ部２０の相手側部材４０からの取り外しについて説明する。マイナスドライバ５０の先端を一方の弾性係合片２３の基端側から挿入して引掛け孔２５に差し込む。そして、マイナスドライバ５０の先端を幅方向外側に変位させて、係合孔２５と係合突部４２との係合を解除する。続いて、マイナスドライバ５０の先端を他方の弾性係合片２３の基端側から挿入して引掛け孔２５に差し込み、マイナスドライバ５０の先端を幅方向外側に変位させて、係合孔２５と係合突部４２との係合を解除することで、電線押さえ部２０を相手側部材４０から取り外すことができる。
【００２５】
以上のように、本実施形態では以下に示す効果を奏することができる。  
１．解除用の治具５０を弾性係合片２３の基端側から挿入し、マイナスドライバ５０の先端を引掛け孔２６に引っ掛けることができる。これにより、弾性係合片２３をその係合孔２５と係合突部４２との係合を解除する方向に変位させて係合を解除することができる。したがって、弾性係合片２３の基端側からマイナスドライバ５０を挿入して、弾性係合片２３を相手側部材４０から取り外すことができる。
【００２６】
２．係合壁部４１を弾性係合片２３と補助壁２４との間で挟み込むことができる。したがって、係合孔２５と係合突部４２との係合状態を保持することができる。仮に、弾性係合片２３が外側に撓み変形しようとしても、弾性係合片２３が補助壁２４と別体に設けられている場合よりも弾性係合片２３が撓みにくくなるため、係合孔２５と係合突部４２との係合が容易に解除されるおそれがない。
【００２７】
３．弾性係合片２３を係合壁部４１と反対側に肉盛りすることで係合孔２５の深さ寸法を稼ぐことができる。したがって、弾性係合片２３の弾性力を低下させることなく係合力を高めることができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２９】
（１）本実施形態では補助壁２４を設けたものを例示しているが、本発明によれば、補助壁２４を設けなくてもよい。
【００３０】
（２）本実施形態では弾性係合片２３及び補助壁２４を各一対設けたものを例示しているが、本発明によれば、弾性係合片２３及び補助壁２４は基板部２１の両側縁のうちいずれか一方に設けたものでもよい。
【００３１】
（３）本実施形態では弾性係合片２３と補助壁２４とが一体に形成されたものを例示しているが、本発明によれば、弾性係合片２３は補助壁２４と別体に形成したものであってもよい。
【００３２】
（４）本実施形態では引掛け部を引掛け孔２６として設けたものを例示したが、本発明によれば、引掛け部は必ずしも貫通孔とする必要はなく、解除用の治具を引掛けることができる凹部として形成してもよい。
【００３３】
（５）本実施形態では係合部を係合孔２５とし、被係合部を係合突部４２として形成したものを例示したが、本発明によれば、係合部を係合突部とし、被係合部を係合孔として形成してもよい。
【図面の簡単な説明】
【００３４】
【図１】本実施形態における電線カバーの底面図
【図２】その電線カバーの側面図
【図３】その電線押さえ部単体の斜視図
【図４】その電線押さえ部を相手側部材に取り付けた状態を示す斜視図
【図５】その解除用の治具を係合孔に挿入した状態を示す斜視図
【図６】その解除用の治具を係合孔に挿入した状態を示す断面図
【符号の説明】
【００３５】
１…電線カバー
１０…コネクタ側固定部
２０…電線押さえ部
２３…弾性係合片
２４…補助壁
２５…係合孔（係合部）
２６…引掛け孔（引掛け部）
３０…連結部
４０…相手側部材
４１…係合壁部
４２…係合突部（被係合部）
５０…マイナスドライバ（治具）
Ｗ…電線
【図１】
2008071600.tif 000003
【図２】
2008071600.tif 000004
【図３】
2008071600.tif 000005
【図４】
2008071600.tif 000006
【図５】
2008071600.tif 000007
【図６】
2008071600.tif 000008